(57)【要約】肺補助のための体外システムは、ハウジングであって、加圧ステータ部位と流体接続された血流入口、前記ハウジング内に形成された流路を介して前記加圧ステータ部位と流体接続された繊維束部位、及び前記繊維束部位と流体接続された血流出口を有するハウジングを含む。羽根車は、前記血流入口から前記加圧ステータ部位に入る血液を加圧するために、前記加圧ステータ部位内に回転可能に配置される。前記システムは、前記繊維束部位内に配置された繊維束をさらに含む。前記繊維束は、複数のガス透過可能な中空繊維を含む。前記複数のガス透過可能な繊維束は、血液と前記ガス透過可能な中空繊維の内側との間でガスを拡散できるようになっている。前記複数のガス透過可能な中空繊維は、血液が、前記繊維束部位を通って流れるときに、前記複数のガス透過可能な中空繊維の周囲を流れるように配置される。前記複数のガス透過可能な中空繊維は、前記繊維束部位を通って前記流路から前記血流出口に向かう血液のバルク流の方向に対して略垂直方向に延びている。前記システムは、前記ハウジングに流体接続されるとともに、前記複数のガス透過可能な中空繊維の入口に流体接続されたガス入口、及び前記ハウジングに流体接続されるとともに、前記複数のガス透過可能な中空繊維の出口に流体接続されたガス出口をさらに含む。【選択図】図１Ｂ
2018525058.tif 000002
【特許請求の範囲】
【請求項１】
ハウジングであって、加圧ステータ部位と流体接続された血流入口、前記ハウジング内に形成された流路を介して前記加圧ステータ部位と流体接続された繊維束部位、及び前記繊維束部位と流体接続された血流出口を有するハウジングと、
前記加圧ステータ部位内に回転可能に配置されて、前記血流入口から前記加圧ステータ部位に入る血液を加圧する羽根車と、
前記繊維束部位内に配置され、複数のガス透過可能な中空繊維を有する繊維束であって、前記複数のガス透過可能な中空繊維は、血液と前記複数のガス透過可能な中空繊維の内側との間でガス拡散できるようになっていて、前記複数のガス透過可能な中空繊維は、血液が、前記繊維束部位を通って流れるときに、前記複数のガス透過可能な中空繊維の周囲を流れるように配置され、前記複数のガス透過可能な中空繊維は、前記繊維束部位を通って前記流路から前記血流出口に向かう血液のバルク流の方向に対して略垂直方向に延びている繊維束と、
前記ハウジングに流体接続されるとともに、前記複数のガス透過可能な中空繊維の入口に流体接続されたガス入口と、
前記ハウジングに流体接続されるとともに、前記複数のガス透過可能な中空繊維の出口に流体接続されたガス出口と、を備える、
肺補助のための体外システム。
【請求項２】
前記システムは、パラコーポリアルシステムである、
請求項１に記載の肺補助のための体外システム。
【請求項３】
前記複数のガス透過可能な中空繊維は複数の繊維織物の層を有し、前記複数の繊維織物の層のそれぞれはガス透過可能な中空繊維を有している、
請求項１に記載の体外システム。
【請求項４】
繊維織物の隣り合う層は、繊維織物の隣り合う層における前記複数のガス透過可能な中空繊維の向きが異なる向きとなるように、互いに対して回転されている、
請求項３に記載の体外システム。
【請求項５】
血液が、前記ガス入口及び前記ガス出口に流れることを阻止される、
請求項３に記載の体外システム。
【請求項６】
前記複数のガス透過可能な中空繊維は、少なくとも一つの略円筒状の束に形成される、
請求項１に記載の体外システム。
【請求項７】
前記略円筒状の束は、複数の織物繊維から形成され、前記複数の織物繊維の層のそれぞれは、ガス透過可能な中空繊維を有している、
請求項６に記載の体外システム。
【請求項８】
織物繊維の隣り合う層は、繊維織物の隣り合う層における前記複数のガス透過可能な中空繊維の向きが異なる向きとなるように、互いに対して回転されている、
請求項７に記載の体外システム。
【請求項９】
前記繊維束を通る血液の平均速度は、少なくとも２ｃｍ／秒である、
請求項１乃至８のいずれか１項に記載の体外システム。
【請求項１０】
前記繊維束を通る血液の平均速度は、少なくとも３ｃｍ／秒である、
請求項１乃至８のいずれか１項に記載の体外システム。
【請求項１１】
前記繊維束を通る血液の平均速度は、約２〜５ｃｍ／秒の範囲にある、
請求項１乃至８のいずれか１項に記載の体外システム。
【請求項１２】
前記繊維束の断面積は、７．０７平方インチ以下である、
請求項９に記載の体外システム。
【請求項１３】
前記繊維束の断面積は、４．９平方インチ以下である、
請求項９に記載の体外システム。
【請求項１４】
前記繊維束の断面積は、３．１４平方インチ以下である、
請求項９に記載の体外システム。
【請求項１５】
前記繊維束の断面積は、２．４平方インチ以下である、
請求項９に記載の体外システム。
【請求項１６】
前記繊維束の長さは、少なくとも１．８インチである、
請求項１３に記載の体外システム。
【請求項１７】
前記羽根車に作用する流体力を打ち消すためのシステムをさらに有する、
請求項１に記載の体外システム。
【請求項１８】
流体力を打ち消すための前記システムは、前記羽根車と操作可能に接続される第１磁石であって、第２磁石と協働して、前記第１磁石と前記第２磁石との間に反発力を生じさせる第１磁石を有する、
請求項１７に記載の体外システム。
【請求項１９】
前記体外システムは、毎分約２〜４リットルの範囲の流量を運搬するようになっている、
請求項１に記載の体外システム。
【請求項２０】
前記流量は調節可能である、
請求項１９に記載の体外システム。
【請求項２１】
前記血流入口は、プレナムを介して、前記加圧ステータ部位と接続される、
請求項１乃至２０のいずれか１項に記載の体外システム。
【請求項２２】
前記流路は、前記加圧ステータ部位から略接線方向に延びている、
請求項１乃至２０のいずれか１項に記載の体外システム。
【請求項２３】
前記流路は、前記加圧ステータ部位から略接線方向に延びている、
請求項２２に記載の体外システム。
【請求項２４】
前記流路は、前記繊維束部位と流体接続されたマニホールドと流体接続される、
請求項２３に記載の体外システム。
【請求項２５】
前記流路は、前記加圧ステータ部位から前記マニホールドまで曲線経路状に延びている、
請求項２４に記載の体外システム。
【請求項２６】
前記繊維束を通る血液のバルク流は、略軸方向である、
請求項２５に記載の体外システム。
【請求項２７】
前記繊維束の軸は、前記羽根車の回転面に略平行に方向付けられている、
請求項２６に記載の体外システム。
【請求項２８】
ハウジングであって、加圧ステータ部位と流体接続された血流入口、前記ハウジング内に形成された流路を介して前記加圧ステータ部位と流体接続された繊維束部位、及び前記繊維束部位と流体接続された血流出口を有するハウジングと、前記加圧ステータ部位内に回転可能に配置されて、前記血流入口から前記加圧ステータ部位に入る血液を加圧する羽根車と、前記繊維束部位内に配置され、複数のガス透過可能な中空繊維を有する繊維束であって、前記複数のガス透過可能な中空繊維は、血液と前記複数のガス透過可能な中空繊維の内側との間でガスを拡散できるようになっていて、前記複数のガス透過可能な中空繊維は、血液が、前記繊維束部位を通って流れるときに、前記複数のガス透過可能な中空繊維の周囲を流れるように配置され、前記複数のガス透過可能な中空繊維は、前記繊維束部位を通って前記流路から前記血流出口に向かう血液のバルク流の方向に対して略垂直方向に延びている繊維束と、前記ハウジングに流体接続されるとともに、前記複数のガス透過可能な中空繊維の入口に流体接続されたガス入口と、前記ハウジングに流体接続されるとともに、前記複数のガス透過可能な中空繊維の出口に流体接続されたガス出口と、を備えるシステムを提供することと、
前記血流入口を患者の血管系に接続することと、
前記血流出口を前記患者の血管系に接続することと、
前記複数のガス透過可能な中空繊維の内腔内に、前記ガス流入口及び前記ガス流出口を介してスイープガスを通過させることと、を有する、
患者への体外肺補助の方法。
【請求項２９】
前記システムは、パラコーポリアルシステムとして操作される、
請求項２８に記載の方法。
【発明の詳細な説明】
【技術分野】
【０００１】
（関連出願の相互参照）
本願は、２０１５年６月２３日に出願された米国仮特許出願第６２／１８３，７３０号の利益を主張し、該出願の開示は参照により本願に組み込まれる。
【０００２】
（政府の利益）
本発明は、米国国立衛生研究所によって与えられた認可番号ＨＬ１１７６３７、ＤＫ０４５４８２、ＤＫ０５４９３６、ＤＫ０７８７７５、及びＨＤ０５６００４の下に、政府支援を受けてなされた。政府は、本発明について一定の権利を有する。
【背景技術】
【０００３】
以下の情報は、読者が、以下に開示される技術及びそのような技術が一般的に使用されることがある環境を理解することを助けるために提供される。本明細書で使用される用語は、本文書内で明確な特段の断りがない限り、特定の狭義の解釈に限定されることを意図するものではない。本明細書に記載された参照によって、当該技術または背景を容易に理解することができる。本明細書で引用される全ての開示は、参照により組み込まれる。
【０００４】
肺の急性疾患及び慢性疾患は、未だ主な医療問題のままである。米国肺協会は、毎年約３５０，０００人のアメリカ人が、何らかの肺疾患で死亡していることを報告している。肺疾患は、アメリカ人の第３番目の死因であり、７つの死因の内の一つの原因である。急性肺不全及び成人呼吸促迫症候群（ＡＲＤＳ）が、肺疾患の一般的な形態である。ＡＲＤＳは、毎年１５０，０００人のアメリカ人を苦しませている。ＡＲＤＳに関連する死亡率は、クリティカル・ケア・メディシン（救命救急医療の指針）の改善にも関わらず、４０〜６０％のままである。しかしながら、殆どの肺疾患は、慢性である。肺気腫及び急性気管支炎、すなわち、慢性閉塞性肺疾患（ＣＯＰＤ）の２つの形態は、毎年１４００万人を超えるアメリカ人を苦しませている。慢性肺疾患は、現在、アメリカにおける第３番目の主な死因であり、毎年４００，０００人を超える命を奪い、前記慢性肺疾患には１５４０億ドルの費用がかかる。肺疾患が最終ステージに達すると、肺移植が唯一の有効な治療の選択肢となる。肺移植は、過去１０年に渡って着実に増加しており、毎年約３３００の肺移植が世界中で実行されている。待機リストの平均時間は、患者の状態及び機関の見解に応じて、６月から１２月の間で様々であるが、患者の１０〜１５％がアメリカ合衆国での待機リストに載っている間に死亡する。手術の利益を得る程度には病んでいるが、ドナーの肺を待機する数か月間生存した後、手術を受ける程度には健康であるあらゆる患者における肺移植の機会は極めて限られている。
【０００５】
患者が重体になると、人工呼吸器や体外式膜型人工肺装置（ＥＣＭＯ）が、急性及び慢性呼吸器患者を肺の回復または肺移植に繋ぐために利用できる呼吸補助の唯一の代替手段となる。人工呼吸器（ＭＶ）は、短期間の補助のための適切なガス交換を維持できるが、長期間の補助においては、気圧性外傷（高圧）、容量損傷（過膨張）、及び炎症性肺損傷（分子及び細胞によってもたらされる炎症）から、人工呼吸器が引き起こす肺損傷の原因となり得る。肺損傷は、患者の呼吸状態をさらに悪化させ得る。ＥＣＭＯは、高額かつ複雑であり、高度に訓練された専門家によって連続的に管理される必要がある外部ポンプ及び血液回路の使用を要する。ＭＶ及び特にＥＣＭＯにおける患者の拘束は、より高い術後合併症や移植後の早期死亡率に反映される進行性の体調不良の原因となる。それにも関わらず、ＥＣＭＯは、ますます、患者を肺移植または該患者の病気が原因となる急性心不全後の肺回復に繋ぐための唯一の代替手段とみなされるようになっている。最近になって、能動的な移植センターでの経験が増え、ＥＣＭＯ技術が改良されるにつれて、「携行型ＥＣＭＯ」という考え方が好評を博するようになり、この考え方は、移植後の患者の回復を容易にし、かつ促進させる。携行型ＥＣＭＯの成功によって強調されるのは、患者の動き易さを維持することの重要性である。現在利用可能な携行型ＥＣＭＯシステムでは、既存の血液ポンプ及びバイパス酸素供給器は、一体型システムにまとめられているが、前記ＥＣＭＯシステムは、なお嵩張って扱い難いものであるとともに、長期補助のためには前記酸素供給器を頻繁に交換する必要がある。
【発明の概要】
【発明が解決しようとする課題】
【０００６】
心不全患者のためのパラコーポリアルな左室補助人工心臓（ＶＡＤ）に関する近年の成功が、肺移植または肺回復への繋ぎとなり得る携行型ポンプ−肺装置を思い浮かべることを促す。しかしながら、十分に一体化された携行型ポンプ−肺装置は臨床的に使用されていない。発展途上である携帯型システムまたは携行型システムでは、個々の血液ポンプ及び酸素供給器は単一の制御ユニットの下で一体化されるが、なお扱い難い。そのような装置においては、血液ポンプは、一般に、１以上の導管（例えば、管の長さ）によって、酸素供給器に接続される。複数のシステムは、一体型の血液ポンプを有する一方で、これらの装置の羽根車ユニットから出る血液は、一般に、マニホールドによって分散される前に、径路を通って中空の繊維束部位内に移動する。
【課題を解決するための手段】
【０００７】
一態様では、肺補助のための体外システムは、ハウジングを含む。該ハウジングは、加圧ステータ部位と流体接続された血流入口、流路を介して前記加圧ステータ部位と流体接続された繊維束部位、及び前記繊維束部位と流体接続された血流出口を含む。多くの実施形態では、前記流路は、前記ハウジング内に形成される。羽根車は、前記血流入口から前記加圧ステータ部位に入る血液を加圧するために、前記加圧ステータ部位内に回転可能に配置される。前記システムは、前記繊維束部位内に配置された繊維束をさらに含む。前記繊維束は、複数のガス透過可能な中空繊維を含む。前記複数のガス透過可能な繊維束は、血液と前記ガス透過可能な中空繊維の内側との間でガスを拡散できるようになっている。前記複数のガス透過可能な中空繊維は、血液が、前記繊維束部位を通って流れるときに、前記複数のガス透過可能な中空繊維の周囲を流れるように配置される。前記複数のガス透過可能な中空繊維は、前記繊維束部位を通って前記流路から前記血流出口に向かう血液のバルク流の方向に対して略垂直方向に延びている。前記システムは、前記ハウジングに流体接続されるとともに、前記複数のガス透過可能な中空繊維の入口に流体接続されたガス入口、及び前記ハウジングに流体接続されるとともに、前記複数のガス透過可能な中空繊維の出口に流体接続されたガス出口をさらに含む。前記システムは、例えば、パラコーポリアルシステムであってもよい。血液が、前記ガス入口及び前記ガス出口に流れることを阻止されてもよい。
【０００８】
前記複数のガス透過可能な中空繊維は、例えば、複数の繊維織物の層を含んでもよく、前記繊維織物の層のそれぞれはガス透過可能な中空繊維を含む。複数の実施形態では、繊維織物の隣り合う層は、繊維織物の隣り合う層における前記複数のガス透過可能な中空繊維の向きが異なる向きとなるように、互いに対して回転されている。
【０００９】
複数の実施形態では、前記複数のガス透過可能な中空繊維は、少なくとも一つの略円筒状の束に形成される。前記略円筒状の束は、例えば、複数の織物繊維から形成されてもよく、前記複数の織物繊維の層のそれぞれは、ガス透過可能な中空繊維を含む。織物繊維の隣り合う層は、例えば、繊維織物の隣り合う層における前記複数のガス透過可能な中空繊維の向きが異なる向きとなるように、互いに対して回転されていてもよい。
【００１０】
複数の実施形態では、前記繊維束を通る血液の平均速度は、少なくとも２ｃｍ／秒、少なくとも２．５ｃｍ／秒、少なくとも３ｃｍ／秒、または少なくとも３．５ｃｍ／秒である。多くの実施形態では、前記繊維束を通る血液の平均速度は、約２〜５ｃｍ／秒の範囲にある。前記繊維束の断面積は、例えば、７．０７平方インチ以下、４．９平方インチ以下、または２．４平方インチ以下であってもよい。前記繊維束の長さは、例えば、少なくとも１．８インチであってもよい。
【００１１】
複数の実施形態では、前記システムは、前記羽根車に作用する流体力を打ち消すためのシステムを含む。流体力を打ち消すための前記システムは、例えば、羽根車と操作可能に接続される第１磁石であって、第２磁石と協働して、前記第１磁石と前記第２磁石との間に反発力を生じさせる第１磁石を含んでいてもよい。
【００１２】
前記システムは、例えば、毎分約２〜４リットルの範囲の流量を運搬するようになっていてもよい。前記流量は、例えば、調節可能であってもよい。
【００１３】
前記ハウジング、前記繊維束部位、前記血流入口、前記血流出口、前記ガス入口、前記ガス出口、前記加圧ステータ部位、及び前記加圧ステータ部位と前記繊維束部位との間の前記流路は、例えば、一体に形成されていてもよい。
【００１４】
複数の実施形態では、前記血流入口は、プレナムを介して前記加圧ステータ部位と接続される。多くの実施形態では、前記流路は、前記加圧ステータ部位から略接線方向に延びている。多くの実施形態では、前記流路は、前記加圧ステータ部位から略接線方向（すなわち、接線方向または接線方向の５°の範囲内）に延びている。
【００１５】
前記流路は、例えば、前記繊維束部位と流体接続されたマニホールドと流体接続されていてもよい。多くの実施形態では、前記流路は、前記加圧ステータ部位から前記マニホールドまで曲線経路状に延びている。
【００１６】
複数の実施形態では、前記繊維束を通る血液のバルク流は、略軸方向（すなわち、軸方向または軸方向から５°の範囲内）である。前記繊維束は、例えば、前記システムの大きさを最小にするような方法または前記システムのフォームファクタを最小にするような方法で方向付けられる。複数の実施形態では、前記繊維束の軸は、前記羽根車の回転面に略平行（すなわち、平行または平行の５°の範囲内）に方向付けられている。
【００１７】
複数の実施形態では、前記システムは、高さが１２．７ｃｍ（５インチ）以下であり、幅が１２．７ｃｍ（５インチ）以下であり、長さが１２．７ｃｍ（５インチ）以下である（ただし、外部結合されたモータドライブを除く）。
【００１８】
患者への体外肺補助の方法は、上述され、かつ本明細書の他の箇所で説明されるようなシステムを提供することと、前記血流入口を患者の血管系に接続することと、前記血流出口を前記患者の血管系に接続することと、前記複数のガス透過可能な中空繊維の内腔内に、前記ガス流入口及び前記ガス流出口を介してスイープガスを通過させることと、を含む。前記システムは、例えば、パラコーポリアルシステムとして操作されてもよい。
【００１９】
添付の図面と共に以下の詳細な説明を参照すると、本機器、システム及び方法は、その特性および該特性に付随する利益とともに、最大に評価され理解されることとなる。
【図面の簡単な説明】
【００２０】
【図１Ａ】図１Ａは、パラコーポリアルな携行型の本肺補助装置、機器またはシステムの一実施形態の斜視図を示している。
【図１Ｂ】図１Ｂは、前記羽根車から前記繊維束までの血流を示す図１Ａのシステムの切取斜視図を示している。
【図２Ａ】図２Ａは、図１Ａのシステムの正面隠線図を示している。
【図２Ｂ】図２Ｂは、図１ＡのシステムのＡ−Ａ線（図２Ａ参照）部分断面図を示している。
【図２Ｃ】図２Ｃは、図１ＡのシステムのＣ−Ｃ線（図２Ａ参照）部分断面図を示している。
【図２Ｄ】図２Ｄは、図１ＡのシステムのＤ−Ｄ線（図２Ａ参照）部分断面図を示している。
【図３Ａ】図３Ａは、図１Ａのシステムの側面隠線図を示している。
【図３Ｂ】図３Ｂは、図１ＡのシステムのＧ−Ｇ線（図３Ａ参照）部分断面図を示している。
【図３Ｃ】図３Ｃは、図１ＡのシステムのＩ−Ｉ線（図３Ａ参照）部分断面図を示している。
【図４Ａ】図４Ａは、図１Ａのシステムの斜視隠線図を示している。
【図４Ｂ】図４Ｂは、図１Ａのシステムの別の斜視隠線図を示している。
【図５Ａ】図５Ａは、図１Ａのシステムの斜視分解図または斜視分解組立図を示している。
【図５Ｂ】図５Ｂは、図１Ａのシステムの別の斜視分解図または斜視分解組立図を示している。
【図６Ａ】図６Ａは、図１Ａのシステムの正面隠線分解図または正面隠線分解組立図を示している。
【図６Ｂ】図６Ｂは、図１Ａのシステムの側面部分断面（図６Ａを参照するとＢ−Ｂ線部分）分解図または側面部分断面分解組立図を示している。
【図７Ａ】図７Ａは、図１Ａのシステムの側面分解図または側面分解組立図を示している。
【図７Ｂ】図７Ｂは、図１ＡのシステムのＡ−Ａ線（図７Ａ参照）正面部分断面図を示している。
【図７Ｃ】図７Ｃは、前記システムの羽根車の一実施形態の斜視分解図または斜視分解組立図を示している。
【図７Ｄ】図７Ｄは、図７Ｃの羽根車の別の斜視分解図または斜視分解組立図を示している。
【図７Ｅ】図７Ｅは、図７Ｃの羽根車の側面分解図または側面分解組立図を示している。
【図７Ｆ】図７Ｆは、図７Ｃの羽根車のＡ−Ａ線（図７Ｅ参照）部分断面分解図または分解組立図を示している。
【図８Ａ】図８Ａは、繊維束直径の関数として酸素供給のグラフを示している。
【図８Ｂ】図８Ｂは、目的とする１６０ｍｌ／分〜１８０ｍｌ／分の酸素供給速度についての繊維束のフォームファクタ（高さ、直径）のグラフを示している。
【図８Ｃ】図８Ｃは、目的とする１６０ｍｌ／分〜１８０ｍｌ／分の酸素供給速度についての繊維束のフォームファクタ（表面積、直径）のグラフを示している。
【図８Ｄ】図８Ｄは、繊維束直径と流量３．５Ｌ／分での平均束速度との間の関係を示している。
【図９Ａ】図９Ａは、血液が、前記繊維束を通る流れの向きに垂直な向きかつ前記繊維束と隣り合う入口側体積部に対する略接線の向きにおいて、前記入口側体積部内に導入される数値流体力学またはＣＦＤモデル／研究を示している。
【図９Ｂ】図９Ｂは、血液が、前記繊維束を通る流れの向きに平行な向きかつ前記繊維束と隣り合う入口側体積部に対する略垂直な向きにおいて、前記入口側体積部内に導入される数値流体力学またはＣＦＤモデル／研究を示している。
【図９Ｃ】図９Ｃは、血液が、前記繊維束を通る流れの向きに垂直な向きかつ前記繊維束と隣り合う入口側体積部に対する略半径の向きにおいて、前記入口側体積部内に導入される数値流体力学またはＣＦＤモデル／研究を示している。
【図１０Ａ】図１０Ａは、２つの他のシステムと比較した図１Ａのシステムのガス交換表面積を示している。
【図１０Ｂ】図１０Ｂは、２つの他のシステムと比較した図１Ａのシステムの３．５Ｌ／分での酸素供給効率の研究を示している。
【図１１Ａ】図１１Ａは、パラコーポリアルな携行型の肺補助装置、肺補助機器または肺補助システムの別の実施形態の斜視図を示している。
【図１１Ｂ】図１１Ｂは、図１１Ａのシステムの別の斜視図を示している。
【図１２Ａ】図１２Ａは、図１１Ａのシステムの側面図を示している。
【図１２Ｂ】図１２Ｂは、図１１ＡのシステムのＡ−Ａ線（図１２Ａ参照）部分断面図を示している。
【図１３】図１３は、図１１Ａのシステムの他の側面図を示している。
【図１４Ａ】図１４Ａは、図１１ＡのシステムのＨ−Ｈ線（図１３参照）部分断面図を示している。
【図１４Ｂ】図１４Ｂは、図１１Ａのシステムの斜視切取図を示している。
【図１４Ｃ】図１４Ｃは、図１１Ａのシステムの別の斜視切取図を示している。
【図１４Ｄ】図１４Ｄは、図１１Ａのシステムの羽根車の斜視隠線図を示している。
【図１４Ｅ】図１４Ｅは、図１１Ａのシステムの側面隠線図を示している。
【図１４Ｆ】図１４Ｆは、前記羽根車をさらに示した図１１Ａのシステムの断面図（図１４ＥのＡ−Ａ線部分を参照）を示している。
【図１４Ｇ】図１４Ｇは、曲線状の３次元屈曲管を介した、図１Ａのシステムの前記血流入口から前記羽根車への血流のＣＦＤ研究を示している。
【図１４Ｈ】図１４Ｈは、プレナムを介した、図１１Ａのシステムの前記血流入口から前記羽根車への血流のＣＦＤ研究を示している。
【図１４Ｉ】図１４Ｊは、図１Ａのシステムの前記羽根車及び加圧ステータ部位内における血流のＣＦＤ研究を示している。
【図１４Ｊ】図１４Ｊは、図１１Ａのシステムの前記羽根車及び加圧ステータ部位内における血流のＣＦＤ研究を示している。
【図１４Ｋ】図１４Ｋは、図１Ａのシステムの流体経路内における血流のＣＦＤ研究を示している。
【図１４Ｌ】図１４Ｌは、図１１Ａのシステムの流体経路内における血流のＣＦＤ研究を示している。
【図１４Ｍ】図１４Ｍは、図１Ａのシステムの前記加圧ステータ部位／渦巻き型羽根車の水切り近傍における血流のＣＦＤ研究を示している。
【図１４Ｎ】図１４Ｎは、図１１Ａのシステムの前記加圧ステータ部位／渦巻き型羽根車の水切り近傍における血流のＣＦＤ研究を示している。
【図１５】図１５は、図１１Ａのシステムのためのポンプ性能評価を示している。
【図１６】図１６は、図１１Ａのパラコーポリアルな携行型の肺補助システムのイン・ビトロ（ｉｎ  ｖｉｔｒｏ）酸素供給の研究を示していて、酸素供給は、流量の関数としてプロットされている。
【図１７Ａ】図１７Ａは、図１１Ａのシステム及び２つの他のシステムのガス交換表面積を比較したものを示している。
【図１７Ｂ】図１７Ｂは、図１１Ａのシステム及び２つの他のシステムについての（流量３．５Ｌ／分での）酸素供給効率を比較したものを示している。
【図１８Ａ】図１８Ａは、図１１Ａのシステムのイン・ビボ（ｉｎ  ｖｉｖｏ）ガス交換／酸素供給の研究を示していて、酸素供給は、４つの動物研究について流量の関数としてプロットされる。
【図１８Ｂ】図１８Ｂは、図１１Ａのシステムの入口飽和酸素供給によって正規化されたイン・ビボ（ｉｎ  ｖｉｖｏ）酸素供給の研究を示していて、正規化された酸素供給は、４つの動物研究について流量の関数としてプロットされる。
【図１９】図１９は、４つの動物研究について、図１１Ａのシステムにおける溶血現象を示していて、血漿遊離Ｈｂは、時間の関数としてプロットされる。
【図２０】図２０は、イン・ビトロ（ｉｎ  ｖｉｔｒｏ）ガス交換研究についての実験準備を示している。
【発明を実施するための形態】
【００２１】
概して本明細書の図面に記載され示されているような本実施形態の構成要素は、記載された例示の実施形態に加えて、多種多様な種々の構成において配置され設計されてもよい。したがって、図中に表されているような例示の実施形態の以下のより詳細な記載は、主張されたように、本実施形態の範囲を限定することを意図するものではなく、単に例示の実施形態を表しているに過ぎない。
【００２２】
本明細書を通じて、「一実施形態（ｏｎｅ  ｅｍｂｏｄｉｍｅｎｔ）」または「一実施形態（ａｎ  ｅｍｂｏｄｉｍｅｎｔ）」についての参照は、その実施形態に関連して記載された特徴、構造及び特性が少なくとも一実施形態に含まれることを意味している。したがって、種々の箇所における「一実施形態」若しくは「一実施形態」という語またはこれに類する語の出現は、必ずしも全てが、同一の実施形態について参照されている訳ではない。
【００２３】
さらに、記載された特徴、構造または特性は、任意の好適な方法で、１以上の実施形態において組み合わされてもよい。以下の記載においては、数多の具体的詳細が提供され、これにより実施形態が完全に理解される。しかしながら、関連技術分野における当業者によれば、種々の実施形態が、１以上のそれらの具体的詳細を伴わずに、あるいは、他の方法、構成要素、材料などを伴って実行され得ることが理解されることとなる。他の例では、公知の構造、材料または操作は、分かり難さを避けるために詳細に示されていないし、また記載されていない。
【００２４】
本明細書及び添付の請求の範囲において使用された単数形“ａ”、“ａｎ”、及び“ｔｈｅ”は、文脈が明らかにそうでないと述べている以外は複数の参照を含む。したがって、例えば、“ａ  ｉｍｐｅｌｌｅｒ（羽根車）”についての参照は、複数のそのような羽根車及び当該技術分野において公知の等価物などを含み、“ｔｈｅ  ｉｍｐｅｌｌａｒ”についての参照は、１以上のそのような羽根車及び当該技術分野において公知の等価物などについての参照である。本明細書における値の範囲の記述は、単に、前記範囲内の各別個の値についての個々の参照を省略して標記したものとして役立つことを意図している。本明細書において別段の指示がない限り、各別個の値及び中間範囲は、本明細書において個々に記述されているかのように、本明細書に包含される。本明細書に記載された全ての方法は、本明細書において別段の指示がなく、文によって明らかに逆のことが示されていない限りにおいて、あらゆる適切な順序で実行され得る。
【００２５】
多くの実施形態において、体外式の／パラコーポリアルな携行型の本肺補助システムは、ガス移動効率及び生体適合性における利点を提供する。本システムは、例えば、中央挿管及び／又は周辺挿管、及び機器交換が要求されることがある前の、例えば１〜３ヶ月の期間の呼吸補助のいずれかのために設計されてもよい。本システムは、例えば、深刻な急性呼吸窮迫症候群（ＡＲＤＳ）を被る患者から、ＣＯＰＤまたは深刻な肺高血圧（ＰＨ）を被る慢性患者まで対応する。パラコーポリアル機器またはシステムは、一般に、使用中に身体の直近に配置される体外式の機器である。換言すると、パラコーポリアル機器またはシステムは、「装着可能な」若しくは携行型の機器またはシステムである。本システムは、一般的な静置型の体外式のシステムとしての使用だけでなく、パラコーポリアルな使用／携行型の使用にもよく適している。
【００２６】
本システムは、発展途上の携行型のＥＣＭＯシステムよりも扱い難さが緩和されているとともに、向上された携行型の呼吸補助を提供する。複数の実施形態では、本システムは、高度に一体化された血液ポンプ及び肺を提供する。一体化された血液ポンプ及び肺においては、羽根車のようなポンプ機構が、ガス透過可能な中空繊維（本明細書では、繊維束として参照されることもある）を通る流れが要因となって、血液を加圧する。本システムは、例えば、ホルスターまたはベストで、パラコーポリアルに身に着けられるように設計されてもよい。本システムは、例えば、他の機器と比べて、前記繊維束を通る平均（ａｖｅｒａｇｅ）速度または平均（ｍｅａｎ）速度を向上することを提供する。該速度は、ガス交換を向上させる。
【００２７】
図１Ａ乃至７Ｂに示されるような本システム１０の複数の実施形態では、システム１０は、ハウジング２０を含む。ハウジング２０は、加圧システム及び前記繊維束が比較的小さなフォームファクタの範囲内に含まれるような一体化方法で、システム１０の全ての構成要素を一緒にする。さらに、システム１０は、顕著な血液損傷を引き起こすことなく、効率的かつ顕著なガス移動を提供する。
【００２８】
ハウジング２０は、第１または繊維束部位２２を含む。繊維束部位２２は、繊維束２００を収容し、酸素または酸素を含むガス混合物であってもよいスイープガスを用いて、繊維束２００のガス側を均一に潅流させるように設計されたガス流路を提供する。多くの実施形態では、ハウジング２０の寸法は、高さが１２．７ｃｍ（５インチ）以下、幅が１２．７ｃｍ（５インチ）以下、長さが１２．７ｃｍ（５インチ）以下である。このフォームファクタは、ポンプ効率を向上させることによって（例えば、羽根車のデザインをより最適化することによって）、さらに低減されてもよい。
【００２９】
これに関連して、回転要素または羽根車１００のような加圧機構は、ハウジング２０の加圧またはポンプ（ステータ）部位２４（第２部位）内に配置されてもよい。例示された実施形態では、ポンプ部位は、渦巻き型の羽根車ステータ部位２４として形成されている。該ステータ部位２４は、ハウジング２０の残りの部分とともに、一体的またはモノリシックに形成される。渦巻き型の羽根車部位２４は、羽根車１００を収容し、羽根車１００のポンプ効率を最大にするために、従来のポンプ理論に従うように設計されてもよい。羽根車１００は、ハウジング２０の渦巻き型の羽根車部位２４内に適合する。
【００３０】
遠心ポンプのステータ部分は、流れが前記羽根車を出た後、通常、ディフューザまたは渦巻き構造のいずれかとなる。これら２つのステータタイプのそれぞれの目的は、速度エネルギーを効率的に分散させて圧力とすることである。ディフューザは、前記羽根車の周囲にある複数の半径方向に対称な拡散通路によって特徴付けられる。渦巻き型のコレクタまたは環状のコレクタのいずれかが、前記ディフューザと共に使用される。渦巻き構造は、１以上の渦巻き形状の拡散経路（複数の本実施形態の内の一つ）によって特徴付けられる。渦巻き形状の拡散経路は、ポンプ構成によって決まる。本渦巻き構造は、前記羽根車によって汲み上げられた流体を受け取り、流体の流速を下げ、運動エネルギーを圧力に変換する。前記渦巻き構造は、排出ポートに近付くにつれて曲がっていて、面積が増加している。
【００３１】
複数の実施形態において、羽根車１００は、羽根車１００上または羽根車１００内に配置された１以上の磁石により、その一部が磁力によって支持されている。例示の実施形態において、羽根車１００は、羽根車１００に作用する正味の流体力学的負荷が上向きとなるように渦巻き型の羽根車部位２４内に配置される。したがって、羽根車１００を支持するのに使用される磁石は、羽根車１００に下向きの力を生じさせる。例えば、国際公開第２０１４／０８５６２０号で述べられているように、磁石は、羽根車１００の収容部に取り付けられ、流体力及び磁石による結合力の組み合わせを打ち消す力を作用させ、これにより、ベアリングに作用する軸方向の力を最小にし、システム全体の耐久性を改善するように操作可能であってもよい。頂部及び底部ピボットベアリング１１２ａ及び１１２ｂのそれぞれは、例えば、ステンレス鋼シェル内に収容される超高分子量ポリウレタン（ＵＨＭＷＰＥ）ピボット及びカップ型ベアリングであってもよい。前記ステンレス鋼シェルは、前記ピボット及びカップ型ベアリングの耐摩耗性を最大にする。
【００３２】
渦巻き型部位の下方の蓋または閉鎖部２６（例えば、図５Ａを参照されたい）は、羽根車１００をハウジング２０の羽根車ステータ／渦巻き型部位２４内に挿入可能とする大きさである。同様に、繊維束の蓋または閉鎖部２８は、繊維束２００をハウジング部２０の繊維束部位２２内に挿入可能とする大きさである。
【００３３】
図２Ｂは、ハウジング２０内の流体／血流入口３０を経由する、繊維束２００への流体流入を示している。これに関連して、血液のような流体は、羽根車１００の中央部分に引き込まれ、図２Ｂにおいて半径方向外方に向かう矢印によって示されているように、羽根車を用いて遠心力で外方に向かうように回転される。次に、血液は、例えば、図１Ｂに示されるように、繊維束２００に導かれる。例えば図１Ｂに示されているように、羽根車１００の高さ（すなわち、図３Ｃの幾何学的配置における垂直距離）は、径路４０によって、例えば羽根車１００の下方側の洗浄が最大となるように延ばされる。これは、径路４０がピボットポンプにおける血栓堆積についての共用領域だからである。例示された実施形態において、径路４０は、渦巻き型の羽根車部位２４と同じ高さまで延びて、そこから略接線方向（例えば、そこから接線方向の５°の範囲内）に延びる。前記径路の断面は、入口３０と径路４０との間の断面積を保存するように、例えば、比較的狭くされてもよい。例えば、いくつかの実施形態における入口３０は、断面が円形であり、０．００９５２９ｍ（３／８インチ）の直径を有し、７．０９７×１０−５ｍ２（０．１１平方インチ）の断面積を有する。径路高さは、上述のように、羽根車厚さによって影響を受け、少なくとも羽根車１００の厚さ（いくつかの実施形態では、最小０．０１２７ｍ（０．５インチ）であり、最大０．０１９０５ｍ（０．７５インチ）である）まで延びている。７．０９７×１０−５ｍ２（０．１１平方インチ）の断面積を保存するために、径路４０の幅は、０．０３８１ｍ（０．１５インチ）から０．００５５８８ｍ（０．２２インチ）である。
【００３４】
径路４０はまた、繊維束２００のフォームファクタをさらに増加させないように、ハウジング２０内に組み込まれる。例示された実施形態においては、径路４０は、ハウジング２０の側壁に沿って上方（図面の向き）に移動し、（以下でさらに説明される）略半径方向において、繊維束部位２２の入口体積部またはマニホールド２２ａに入る。径路４０は、図２Ｃに示されるように、曲げられている。図２Ｄの断面図に示されているように、径路４０のこの曲がりによって、径路４０は、羽根車１００の直径内に適合される。さらに、径路４０の角丸矩形またはスタジアム（ｓｔａｄｉｕｍ）断面形状（例えば、図１Ｃを参照のこと）は、例えば、図１Ｄに示されているように、径路４０が、周囲が渦巻き型である羽根車１００の一部として適合するように薄く、または狭い外形が可能となる。本明細書で使用される「角丸矩形」という語は、隅部が丸い矩形を意味する。「スタジアム」という語は、矩形の反対側の両端部に弧または半円を結合させることによって形成される縦長形状を意味する。概して、径路４０は、１未満または０．５未満のアスペクト比（高さ（ここでは、高さとは、図３Ｃに示したように、径路４０の垂直の向きのことである）に対する幅の比）を有する。径路４０内に丸状または弧状の隅部／端部を提供することは、例えば、溶血及び血栓症を低減または最小にするのに役立つ。
【００３５】
複数の実施形態では、前記血液は、繊維束２００に入って、該繊維束２００の中空繊維周りを通る。繊維束２００を通過した後、血液は、血流／流体流出口５０と流体接続された出口体積部またはマニホールド２２ｂを経由してシステム１０を出る。例えば、図３Ａ及び３Ｃに示されているように、液体／流体流路は、該流路の各端部の繊維束２００の外周にてハウジング２０と隣接／ハウジング２０で封止することによって、システム１００を通るガス流路と分離されている。
【００３６】
システム１０におけるガス流路は、例えば、比較的簡単な構成であってもよい。ガスは、ガス入口ポート６０を通って、繊維束２００の一方側において径路６２に入り、繊維束２００の他方側において径路６６と流体接続されたガス出口ポート６４を通って排出される。したがって、ガスは、図２Ｂにおける最上方の矢印の平均方向またはバルク方向に、繊維束２００を通って流れる。径路６２は、前記ガス流路についての入口であり、径路６４が出口である。スイープガスは６２を通過し、前記繊維の内腔を横切り、６４に入る。径路６２は、例えば、ハウジング２０と繊維束２００との間の接触によって、径路６４から切り離される。複数の実施形態において、径路６２の幅は、約０．２５インチである。この幅は、繊維束２００内の全ての繊維を均一に潅流させるのに役立つように選ばれる。ガス流の方向は、例えば、患者がシステム１０を身に着けた場合に、重力方向にほぼ沿うような方向であってもよく、これにより、高められた任意の圧縮が重力の作用の結果であることが明らかとなる。
【００３７】
繊維束２００は、国際公開第２０１４／０８５６２０号に記載された方法に従って製造される。上記公報の開示は、参照により本明細書に組み込まれる。しかしながら、繊維束２００の直径は、国際公開第２０１４／０８５６２０号の繊維束よりも小さい。これに関連して、前記直径は、繊維束２００を通る血液の所望の平均速度に基づいて選ばれる。繊維束２００の所定の直径及び繊維密度に基づいて、所望の表面積が得られるように、シートの数が選ばれる。本明細書で使用される平均速度は、繊維束２００の断面積でシステム２０を通る流速を除することによって定義される。
【００３８】
本研究において使用されるポリメチルペンテン（ＰＭＰ）は、外径またはＯＤが３８０ミクロンであり、内径またはＩＤが１８０ミクロンである。これらの繊維は、中空繊維のアレイ、中空繊維の膜、または中空繊維の織物として製造され、複数の繊維は、概して同じ繊維の向きを有する一体化された略平面状のアレイとして製造される。繊維束２００の製造において、このようなアレイ、膜、または織物は、切断されてシートとなる。該シートは、ガス交換のための全表面積が、例えば、約６５ｍ２に保持されるように、順に重ねられて複数層の積層物（繊維束２００のいくつかの研究された実施形態では２００層）の状態で配置される。前記繊維束の空隙率は０．５に維持される。形成されたとき、繊維束２００は、直径が１．７５インチ（０．４４メータ）であり、高さが３．１５インチ（０．０８メータ）である。
【００３９】
複数の実施形態では、繊維束２００は、例えば、互いに対して角度５〜１５°で層状に積層され、かつガス交換を最大にするために、血流の主方向に対して略垂直方向（すなわち、繊維束２００の軸Ａに対して略垂直方向。図３Ｂを参照のこと）に整列された略円筒状の中空繊維束の膜（例えば、上述のような、シロキサン及びヘパリンコートされた繊維のアレイ、膜、または織物）である。研究された複数の代表となる実施形態では、繊維束２００は、互いに対して角度約１４°で層状に積層された略円筒状の中空繊維束の膜である。これに関連して、前記繊維は切断されて円形のシートにされ、ポッティングモールドに入れて隣り合うシート間の角度が１４°となるように積層される。前記中空繊維の端部は、半円形のガスマニホールド径路（ガス入口マニホールド径路６２及びガス出口マニホールド径路６６）に収められる。ポリウレタン接着剤が、前記モールドを旋盤において回転させることによって生じる遠心力を用いて、前記モールド内に注入される。ポリウレタンによって全ての繊維が結び付けられて繊維束２００となる。ポッティング接着剤の厚さは、おおよそ０．２５インチであり、適切な機械的支持を提供するように選ばれた。
【００４０】
前記中空繊維を軸Ａに対して略垂直方向（例えば、垂直方向から５°以下の範囲内、または垂直方向から２．５°以下の範囲内）に並べることによって、中空繊維がハウジング／血流の軸に対して略平行であるシステムと比べて、体積を顕著に減少させることができる（すなわち、コンパクトさを改善することができる）。
【００４１】
多くの実施形態において、繊維束２００は、略半円形のマニホールドを形成するために、繊維束部位２２の内壁に形成された軸方向に延びるシール部位にシールされてもよい。シール部位は、例えば、繊維束２００と接触し、繊維束２００とのシール接続を形成するために、半径方向内方に延びていてもよい。２つのシール部位は、略半円状の（すなわち、約１８０°で延びる）マニホールドを形成するために、使用されてもよい。追加のシール部位が、例えば、繊維束部位２２の内周周りに１８０°以下で延びるマニホールドを作製するために使用されてもよい。
【００４２】
繊維束２００は、例えば、ポッティング用のアセタール（Ｄｅｌｒｉｎ）などから作製される再利用可能な４ピースモールド内に巻き付けられて配置されてもよい。ポッティング中に、二液型のポリウレタン接着剤（ニュージャージー州ベイヨンのＣａｓ  Ｃｈｅｍ社から市販されている）がモールドに注入される。次に、何ら空隙なく、表面周りの均一分散を保証するために、モールドに遠心力を作用させる。前記接着剤が硬化されると、収められた繊維が取り除かれ切り取られる。この手順によって、全ての繊維間の共通のガス流路が構築される。
【００４３】
上述のように、システム１０の研究において使用された繊維は、アレイ、織物または膜の形態で提供される。前記繊維表面を横切るガス移動に顕著な悪影響を及ぼさずに、凝血抵抗性を改善するための他のアプローチには、前記繊維の表面に結合された（例えば、共有結合された）双生分子種の使用が含まれる。さらに、システム１０における血液流路および血液のフローパターンは、血液適合性の改善のために、例えば、数値流体力学またはＣＦＤを用いて最適化されてもよい。システム１０に存在する血液は、小塞栓のフィルタとして作用し続けることができる患者の肺を通って流れるので、システム１０についての根本的な抗凝血要求はまた、さらに低減されてもよい。
【００４４】
上述のように、血液は、血流入口または血流入口ポート３０を通ってシステム１０に入り、羽根車１００によってポンプされる。複数の研究された実施形態においては、羽根車１００は、ハウジング２０内に取り付けられ、遠心羽根車１００の中心軸と一直線になっている２個のピボットベアリング１１２ａ及び１１２ｂによって支持される。ベアリング技術において知られているように、ピボットベアリング１１２ａ及び１１２ｂは、例えば、ベアリングカップに対して回転可能な（例えば、玉継手と同様の）丸端を含んでいてもよい。ベアリングカップは、例えば、超高分子量ポリエチレンから形成されていてもよい。このようなベアリングカップは、例えば、コネチカット州のシェルトンにあるＭｏｄｅｒｎ  Ｐｒａｓｔｉｃｓから市販されている。ピボットベアリング１１２ａ及び１１２ｂの使用によって、シールまたはベアリングは必要でなくなる。前記ピボットベアリングによって、羽根車１００は、システム１０内において軸方向及び半径方向に一直線に維持される。また、血液が摩擦／熱発生部品と接触することを防ぐためにいくつかのシステムで使用される補助的な生理食塩水注入は要求されない。新鮮な血液がシステム１０に入り、ピボットベアリング１０５の全体に亘って流れ、新鮮な流体で前記領域を絶えず洗浄する。
【００４５】
ベアリングを用いずに磁力によって浮遊され、または空中に浮かされた羽根車が、さらに寿命を延ばすために使用されてもよい。しかしながら、複数の実施形態においては、システム１０は、肺部位におけるファウリングの結果として、システム１０の定期的な交換（例えば、１〜３ヶ月ごと）を要求する。磁力による浮遊ではないが、羽根車１００の磁力結合のより簡単かつ複雑さの少ないアプローチが複数の実施形態において選ばれる。例示された実施形態においては、磁石１５０は、回転羽根車１００上の収容部１６０に取り付けられ（図７Ｃ〜７Ｆを参照のこと）、密封シールを維持するために、磁力によって（図６Ｂに概略的に示された）外部モータドライブ上の回転磁石に連結する。システム１０は、例えば、１以上のバッテリ８０によって電力供給されてもよい。例示された実施形態においては、８個の比較的小型の（直径０．５インチ、厚さ０．２５インチ）磁石１５０が、前記モータドライブと羽根車１００との間の磁力結合を維持するために、「結合磁石」として使用される。より大型の中央に配置された磁石１５４は、流体力を安定化するために使用される。
【００４６】
操作中、酸素含有「スイープガス」（例えば、酸素）は、ガス流入口６０を経由してガス流入径路６２に流入し、繊維束２００の個々の繊維膜の内腔の至る所に分散される。二酸化炭素（ＣＯ２）が血液から拡散して前記繊維に入り、前記スイープガスによって出口径路６６まで運ばれ、該出口径路を通ってガス流出口６４まで運ばれるときに、酸素（Ｏ２）は前記繊維から拡散し、（前記繊維の周囲であって、前記繊維の向きに対して略垂直の向きに流れる）流れている血液に入る。上述のように、次に、前記血液は、血液流出口５０を経由してシステム１０を出る。酸素及び二酸化炭素は、前記繊維の内腔を出て、ガス流出経路６６に入る。例えば、図３Ｃに示されているように、繊維束２００の複数の端部は、ハウジング２０の繊維束部位２２の第１端部に接し、ガス流入径路６２及びガス流出径路６６を形成する。それによって、血液が、ガス流入径路６２及び／またはガス流出径路６６に直接流入することが阻止される。繊維束２００のポッティングは、血液が繊維束２００から半径方向に流れてガス流入径路６２及び／またはガス流出径路６６に入ることを防ぐ。
【００４７】
本研究で使用されたシステム１０は最適化されていない。以下にさらに記載されたように、例えば、ＣＦＤ、ベンチテストおよび／またはイン・ビボ（ｉｎ  ｖｉｖｏ）研究を含む複数のツールを使用して、最適化に影響を及ぼしてもよい。１２００〜２４００ＲＰＭでの操作中に、システム１０は、２５０〜３５０ｍｍＨｇの圧力水頭を生じさせつつ、３．５〜５．０リットル／分またはＬＰＭの流れを運ぶことができた。この動力学的範囲は、アクセス用カニューレまたは直接接続グラフトのいずれかを用いた周辺及び／または中央配置モードを用いて取り付けられるシステム１０を可能とする。
【００４８】
一般に、物質移動は高速環境において強化されるので、繊維束２００における速度は、ガス交換効率に影響を与える。しかしながら、十分に制御されていない場合には、比較的高速度を実現することにより溶血が誘発され得る。システム１０においては、速度は、流れについて繊維束２００の前面面積／断面積を注意深く特定することによって制御される。この領域は、繊維束直径によって特定される。上述されたように、流れは繊維に対して垂直である。３インチ以下（または２．５インチ以下）の繊維直径によって、改善された効率が提供されることが分かった。直径３インチの略円筒状の束は、前面面積または断面積７．０７平方インチに相当する一方で、直径２．５インチは、前面面積または断面積４．９平方インチに相当する。複数の実施形態において、直径は２インチ（断面積３．１４平方インチ）未満である。複数の研究において、繊維束２００の直径は１．７５インチであり、向上された効率レベルを提供する２．４平方インチの正面面積または断面積に対応する。直径が小さくなると、単層の繊維内に適合できる繊維は少なくなる。そのため、所定のガス交換率を得るために、繊維層の数を増加する必要があり、これにより特定の束の高さが増加することとなる。そのため、直径２．５インチ、断面積（または不規則な形状の束についての平均断面積）４．９平方インチの繊維束に十分な数の繊維を提供するために、最小１．８インチの高さが必要であることが分かった。システム１０では、繊維束１００の形状を介してより高い酸素供給が達成される。前記形状は、例えば、国際公開第２０１４／０８５６２０号のシステムの繊維束よりも長く、小さな径を有するものである。この形状によって、国際公開第２０１４／０８５６２０号に記載されているように能動的な混合を要さずに、前記繊維を横断する血液の平均速度が増加され、これにより効率が向上される。そのようにすることによって、システム１０は、例えば、図１０Ａ及び１０Ｂに示されているように、他の人工肺システムよりも表面積当たりのより高められた酸素供給を達成できる。本システムは、繊維束２００に隣り合うまたはその近傍にある要素を能動的に混合しないので、「受動的」と言及されてもよい。もう一度繰り返すが、向上された効率は、繊維束２００を通過する増加された血液の平均速度によって達成される。
【００４９】
直径を関数とする酸素供給（一定流量３．５Ｌ／分）が図８Ａに示される。直径が小さくなるにつれて、酸素供給は増加する。さらに、直径が十分に小さい場合、同レベルのガス交換が、低表面積によって提供され得る。図８Ａは、物質移動の原理を繊維束の形状に適用することによって生じる。目的とする酸素供給速度は、図８Ａに破線で示したように１６０ｍｌ／分〜１８０ｍｌ／分である。理解できるように、多くの直径及び表面積が、この範囲に含まれる。図８Ｂ及び８Ｃは、酸素供給速度のこの範囲に含まれる繊維束のフォームファクタ（高さ、直径、表面積）を示している。３．５Ｌ／分における、直径と平均束速度との間の関係が図８Ｄに示されている。
【００５０】
通常、能動的に混合する機器は、血液の損傷量については妥協している。これは、血液速度の増加によって赤血球に適用されるせん断応力が増加するためである。システム１０によって、血液が前記機器を通って流れるときに、高度な速度制御が提供される。混合が僅かであるか、あるいは混合がされないことにより、前記繊維束における乱流が最小にされて、スムーズな速度プロファイルが提供される。これにより、例えば、血液を顕著に損傷せずに高効率を提供するのに丁度十分となるように速度が増加する。
【００５１】
前記繊維束に対する前記羽根車の向きはまた、血液損傷を防ぐために、流れが、血液速度が制御されるような方法で前記羽根車から前記繊維束に注意深く向けられるような向きである。本発明者らは、血液損傷を最小または排除するように、ＣＦＤにおけるそのような流れを研究し、前記流れを向かわせる複数の種々の方法を研究している。
【００５２】
上述されているように、数値流体力学（ＣＦＤ）は、血液の送り出し、ガス交換、プライミングボリューム及びフォームファクタについての要求を満たすように、システム１０のデザイン及び操作パラメータを最適化するために使用されてもよい。ＣＦＤは、血流及びガス交換をシミュレートするために使用されてもよい。検証時に、ＣＦＤは、デザイン最適化アルゴリズムに組み込まれてもよい。
【００５３】
これに関連して、ＣＦＤは、例えば、血液ポンプ及び酸素供給器のデザインプロセスを効率化するために有効なツールである。開発され検証されたＣＦＤシミュレーションは、システム１０及びシステム１０の血液接触要素（例えば、羽根車領域、他の回転表面、繊維束、および接続導管を含む）のデザインを分析して改良するために、型通りのデザイン最適化に組み合わされてもよい。最適化対象には、例えば、ガス交換を最大にすること及びシステム１０の大きさを最小にすることが含まれてもよい。前記対象は、十分なポンプ能力を保証する一方で、血液に対する外傷を最小にするために課される制約を有してもよい。最適化によって、羽根車の大きさ及び構成、繊維束の配置、表面の能動的混合、並びに血液入口及び出口ポートのような最適な一組のデザイン特性が提供される。
【００５４】
ＣＦＤシミュレーションは、例えば、複数のアプローチを含んでいてもよい。層流のナビエストークス方程式は、例えば、Ｆｌｕｅｎｔ（ｖ１４、ペンシルバニア州キャノンズバーグのＡＮＳＹＳ社製）及びＯｐｅｎＦＯＡＭ（ｖ３、イギリス国ブラックネルのＯｐｅｎＣＦＤ社製）のような市販のコードを用いて解かれてもよい。前記機器のロータ空洞領域における乱流モデリングは、十分なレイノルズ数の領域において必要に応じて適用されてもよいし、ＣＦＤ予想と流れの視覚化の結果との間にずれがある場合に適用されてもよい。前記繊維束は、繊維束内の圧力損失及び空塔速度場を特徴付けるために、修正Ｅｒｇｕｎ式を使用して単一の集中連続体（多孔体）としてモデル化されてもよい。酸素及び二酸化炭素の交換は、例えば、非線形のＯ２ガス移動モデル及び非線形のＣＯ２モデルと共に対流−拡散−ソース物質移動アプローチを用いてモデル化されてもよい。本発明者らは、中空繊維束における複雑な血流及びガス交換のＣＦＤモデルを開発した。これは実験的に検証された。前記ＣＦＤモデルは、羽根車によって生じる流れパターン及び全体的なガス交換の緻密な特徴を予想するのに適している。
【００５５】
血流の予備ＣＦＤ分析は、システム１０のために実行されている。操作者は、溶血、血小板活性化、及び血栓形成のための血液損傷モデルを使用してコンピュータによってシステム１０の血液適合性にアクセスしてもよい。複数のそのようなモデルは、ＣＦＤを用いた実装のために特別に開発されている。Ｎ／ｍ２におけるせん断応力のログを示しているプロットが生成された。１０００Ｎ／ｍ２を上回る応力値は、高溶血と関連性があった。血液が繊維束２００に入るときに、せん断応力が最小になることが望ましい。図９Ａは、血液が、繊維束２００を通る流れの向きに対して垂直（すなわち、軸Ａに対して垂直）な向きであって、入口側体積部２２ａに対して略接線の向きにおいて、繊維束２００に隣り合う入口側体積部２２ａ内に導入されるＣＦＤモデル／研究を示している。図９Ｂは、血液が、繊維束２００を通る流れの向きに平行（すなわち、軸Ａに平行）な向きであって、入口側体積部２２ａに略垂直な（すなわち、軸Ａと略同一直線上となる）向きにおいて、繊維束２００に隣り合う入口側体積部２２ａ内に導入されるＣＦＤモデル／研究を示している。図９Ｃは、血液が、繊維束２００を通る流れの向きに垂直（すなわち、軸Ａに垂直）な向きであって、入口側体積部２２ａ及び軸Ａに対して略半径の向きおいて、繊維束２００に隣り合う入口側体積部２２ａ内に導入されるＣＦＤモデル／研究を示している。図９Ａの接線から入る構成は、繊維束２００における高せん断を誘発しないが、流体が繊維束２００に入って血液損傷または血栓形成を引き起こし得る前に、繊維束部位２２の入口側体積部２２ａにおける再循環の量が多くなる原因となる。後者の２つの構成は、最初の数層の繊維層においてせん断レベルが高められていることを示している。図９Ｂは、流体ジェットが前記束にぶつかる繊維におけるせん断応力が１０００Ｎ／ｍ２を超えていて、溶血がこのデザインについて懸念される状態となっていることを示している。繰り返すが、図９Ａは、比較的低いせん断応力を有している。しかしながら、プレナムまたは入口体積部２２ａにおいては、繊維束２００に丁度入る前に、強い再循環流れが確認される。この再循環流れは  中央（青色）領域においてよどみ点を有し、該よどみ点は、血栓形成に向かう傾向が高いことが知られている。図９Ｃは、半径入口の向きを示していて、該半径入口の向きは、システム２０において、（１）繊維束２００が小さなせん断応力を示し、かつ（２）強い再循環領域が繊維束２００より前のプレナムまたは入口体積部２２ａにないように選ばれる。
【００５６】
流路の最適化に基づくさらなるＣＦＤ及び技術が、血栓形成についての「ホットスポット」を軽減する目的で、システム１０に関して実行される。最適化のために研究される流れ径路は、（１）前記羽根車への入口、（２）前記羽根車の羽根、（３）前記羽根車からの流出、及び（４）前記羽根車を前記繊維束に接続する径路である。そのようなさらなる最適化研究に従って決定されるデザイン特性を組み込んでいる本システム１０ａは、図１１Ａ〜１４Ｅに示されている。システム１０ａは、デザイン及び操作に関してシステム１０と同様であり、システム１０ａの実施形態において、同様な構成要素が、符号“ａ”を加えて同様に番号付けされる。システム１０と同様に、システム１０ａは、ハウジング２０ａを含む。ハウジング２０ａは、前記加圧システム及び前記繊維束が比較的小さいフォームファクタ内に含まれるような一体化方法でシステム１０ａの全ての構成要素を一緒にする。システム１０ａはまた、顕著な血液損傷を誘発することなく、効率的かつ顕著なガス交換率を提供する。
【００５７】
ハウジング２０ａは、第１または繊維束部位２２ａを含む。該部位２２ａは、繊維束２００ａを収容し、システム２０と関連して示されるように、スイープガスを用いて繊維束２００ａ側のガスを均一に潅流させるように設計されたガス流路を提供する。上述したように、多くの実施形態において、ハウジング２０の寸法は、高さが０．１２７ｍ（５インチ）以下、幅が０．１２７ｎ（５インチ）以下、長さが０．１２７ｍ（５インチ）以下である。回転要素または羽根車１００ａのような加圧機構は、ハウジング２０ａの加圧またはポンプ（ステータ）部位２４ａ（第２部位）内に配置される。ポンプ部位２４ａは、渦巻き型の羽根車ステータ部位として形成される。該ステータ部位は、ハウジング２０ａの残りの部分とともに、一体的またはモノリシックに形成される。渦巻き型の羽根車部位２４ａは、羽根車１００ａを収容する。
【００５８】
血液（または別の流体）は、ハウジング２０ａにおいて、入口３０ａを経由して、渦巻き型の羽根車部位２４ａに入る。システム１０ａに関して上述されたように、血液のような流体は、羽根車１００ａの中央部分に引き込まれ、羽根車の羽根１１０ａによって遠心力で外方に向かうように回転される。次に、血液は、径路４０ａを経由して、繊維束２００ａに導かれる。径路４０ａは、渦巻き型の羽根車部位２４ａから接線方向に延びている。先述のように、前記の径路断面は、入口３０ａと径路４０ａとの間の断面積を保持するように、比較的狭くなっている。システム１０ａの実施形態においては、入口３０ａの直径は、入口３０の場合のように３／８インチの真直ぐな円筒形の直径とは対照的に、０．００４３１８ｍ（０．１７０インチ）のカージオイド状（ｃａｒｄｉｏｉｄａｌ）のプレナムに変わっている。入口３０は、滑らかに丸められた３次元屈曲部３２（例えば、図１４Ｇを参照のこと）を経由して、羽根車１００に入るように、羽根車の軸の後部に位置するいくつかの流れのよどみをもたらす流れの進路を変える。これに対し、入口３０ａは、入口３０ａの末端部かつ羽根車１００ａの上方に位置するカージオイド状のプレナム３２ａ（例えば、図１４Ｈを参照のこと）を経由して、羽根車１００ａに入るように、流れの進路を変える。複数の実施形態では、プレナム３２ａは、例えば、カージオイド形状を有している。カージオイド形状の目的は、その下向きの流れが羽根車領域に入る前に、羽根車の軸／ピボットベアリング１１２ａ後部側に向かう流れ（該流れは、プレナム３２ａを通過する）をより良好に分散させることである。
【００５９】
入口３０ａはまた、前記羽根車領域内により深く入る下方に向かう管の延在部を含む。該延在部は、羽根車の軸ベアリング１１２ａを洗浄する流れを改善し、羽根車１００ａとシュラウドとの間の頂部隙間における圧力で駆動される逆向きの流れを変えることによってロータ径路に入る予旋回を低減させる。
【００６０】
羽根車１００ａを通る流れ径路は、羽根車１００を通る流れ径路と比べて狭くなっていて、これにより、（図２Ｄに示された羽根車１００と比べると、）図１４Ｆに記載された羽根車１００の断面に描かれているように、ブレード間距離が低減される。羽根車１００は、（図１４ＩのＣＦＤイメージにおいて黒抜きで示された）従来の湾曲型の遠心ポンプブレード１１０を含む。前記ブレードは、開放されているか、またはシュラウドで閉鎖されている。羽根車１００における流れパターンは混沌としている。羽根車１００ａは、従来のブレードの代わりに湾曲された流れ径路を含む。対照的に、（図１４ＪのＣＦＤイメージにおいて黒抜きで示された）ブレード１１０ａは、大きな直径の先端を有する極めて厚いものと考えられ得る。ロータ１００ａにおける流れパターンは、より制御されていて、これにより、血行力学が改善され、血液損傷の可能性が低減される。
【００６１】
羽根車１００ａからの流出は、血液が羽根車１００ａから径路４０ａに流れるときに、流れの逆転及び流れの漏洩が緩和されるように「水切り」ポイントの距離（例えば、図１４Ｆ及び図２Ｄを対比して参照のこと）を調節することにより、羽根車１００からの流出と比べて改変されている。これに関連して、流れ径路４０の断面積が比較的大きいので、流れの量が多くなって、流れが逆転するようになる（図１４ＫのＣＦＤイメージを参照のこと）。流れ径路４０ａは  流れを集中させて、これにより、流れが加圧ステータ部位／渦巻き型羽根車２４ａを出た後、より小さな断面積の径路を用いて流れの方向を変えて、曲がり角におけるより強い流れの付着を促進して、繊維束マニホールドまたはプレナム２２ａａの上方に上がるように設計される。径路４０と比べると、径路４０ａはより狭く、管径は０．００６０４５２ｍ（０．２３８インチ）であり、これにより、径路４０ａを通る平均速度が増加されて、あらゆるよどみ領域が最小にされる（図１４ＬのＣＦＤイメージを参照のこと）。ＣＦＤシミュレーションは、これらの改変によって、前記流れ径路における血栓形成を緩和することによる改善された血液適合性が得られることを示していた。システム１０の図１４Ｍ及びシステム１０ａの図１４Ｎの比較で示されているように、羽根車１００ａ及び出口４０ａの組み合わせによって、加圧ステータ部位／渦巻き型の羽根車２４ａの水切りの位置において、より優れた流れの並びが生じ、流れの剥離が少なくなる。
【００６２】
径路４０と同様に、径路４０ａは、システム１０ａに関連して記載されているように、繊維束２００ａのフォームファクタをさらに増加させないようにハウジング２０ａ内に一体化される。これに関連して、径路４０ａは、ハウジング２０ａの側壁に沿って上方に（例えば、図１４Ｂの方向であって、湾曲または曲がった進路に沿った方向に）移動し、略半径方向において繊維束部位２２ａの入口体積部またはマニホールド２２ａａに入る。システム１０ａの繊維束２００ａを通る血液またはガスのような流体の流路は、システム１０と関連して記載されているものと同様である。
【００６３】
図１５は、パラコーポリアルな携行型の肺補助システム１０ａについてのポンプ性能評価を示している。黒丸のデータを通る線は、２７Ｆｒｅｎｃｈ二重内腔カニューレ（ＤＬＣ）について生じるように要求される流速及び圧力を示している。残りの線は、単位が回転／分である種々の羽根車回転速度にてシステム１０ａにおいて生じる流量及び圧力を示している。線の交点は、機器の操作点を示している。カニューレに対してポンプするのに十分な圧力及び流れが容易に生じる。この圧力生成能力のために、この機器は、３．５Ｌ／分において５０〜１００ｍｍＨｇだけ２７Ｆｒｅｎｃｈ  ＤＬＣの抵抗を上回り、より抵抗が大きいカニューレについても同様にポンピングを行うことができる。
【００６４】
システム１０は、図１６に示されたように、約３Ｌ／分を上回る流量における目標とする酸素供給レベルである約１８０（ｍｌ／分）を達成した。図１７Ａは、システム１０ａのガス交換表面と２つの他のシステム（ドイツ連邦共和国の有限責任会社Ｍａｑｕｅｔ  Ｃａｒｄｉｏｐｕｌｍｏｎａｒｙ  ＧＭＢＨから市販されている、ＱＵＡＤＲＯＸ−ｉ（登録商標）ｓｍａｌｌ  ａｄｕｌｔ及びＱＵＡＤＲＯＸ−ｉ  ｓｍａｌｌ  ａｄｕｌｔ酸素供給器）のガス交換表面との比較を示している。図１７Ｂは、システム１０が図１７Ａの他の２つのシステムのいずれよりも、酸素供給において顕著に有効であることを示している。図１７Ｂの研究においては、流量は３．５Ｌ／分であった。したがって、システム１０ａにおいて要求されるガス交換表面積は、現在入手可能な機器において要求されるものよりも明らかに小さい。
【００６５】
図１８Ａは、システム１０Ａのイン・ビボでのガス交換／酸素供給の研究を示している。図１８Ａでは、酸素供給は、４つの動物研究についての流量の関数としてプロットされている。図１８Ａは、システム１０ａの入口での飽和酸素供給によって正規化されたイン・ビボでの酸素供給の研究を示している。図１８Ａでは、正規化された酸素供給が、４つの動物研究についての流速の関数としてプロットされている。流量が増加するにつれて、卓上研究において得られた結果と同様の結果が得られて、酸化供給が増加する。血液が各動物研究においてシステム１０ａを出たときに、完全な酸素供給が達成される（出口での飽和は１００％であった）。
【００６６】
図１９は、４つの動物研究についてのシステム１０ａにおける溶血の研究を示している。図１９では、血漿遊離型ヘモグロビンＨｂが時間の関数としてプロットされている。血液ヘモグロビンレベルは、各動物研究において実質的に横ばい状態であり、この血液ヘモグロビンレベルは、十分に許容可能なレベルの範囲内である適度な溶血だけを示している。図１５〜１９に記載された「急性」動物研究において、この研究は約６時間続いた。血栓が生じるという問題はなかった。血流力学研究は、前記試験中における動脈圧及び中心静脈圧が前記手順の１時間後によく制御されていたことを示していた。
【００６７】
８．５ｇ／Ｌの低粘度のカルボキシメチルセルロース（ＣＭＣ）ナトリウム塩（ミズーリ州セントルイスのＳｉｇｍａ  Ａｌｄｒｉｃｈ製）溶液中において、イン・ビトロのポンプ試験を実施した。８００ｍＬの静脈血液貯留器（ミネソタ州ミネアポリスのＭｅｄｔｒｏｎｉｃ製）を用いた閉ループシステムをＰｏｌｙＳｃｉｅｎｃｅ  ２１０  ｈｅａｔｅｒ（イリノイ州ナイルズのＰｏｌｙＳｃｉｅｎｃｅ製）に接続された水浴を用いて３７℃に維持した。ホフマン式クランプを用いて前記機器に作用する後負荷を調節し、ＰＡＡＬ機器の前後にハネウェル１４３ＰＣ０３Ｄ圧力トランスデューサ（ニュージャージー州モリスプレーンズのＨｏｎｅｙｗｅｌｌ製）を配置して圧力降下を測定するとともに、超音波フロープローブ（ニューヨーク州イサカのＴｒａｎｓｏｎｉｃ  Ｓｙｓｔｅｍｓ製）を用いて流速を測定した。Ｈ−Ｑカーブが生じるように、１５００、１７００、１９００及び２１００ＲＰＭにて研究を実施した。２７Ｆｒ．Ａｖａｌｏｎ  ＥＬＩＴＥ（登録商標）ＤＬＣ（ニュージャージー州ウェインの有限責任会社Ｍａｑｕｅｔ  Ｃａｒｄｉｏｖａｓｃｕｌａｒ製）の圧力降下を同様のリザーバ機構において測定した。該リザーバ機構においては、流れが、Ｂｉｏｍｅｄｉｃｕｓ  ＢＰ  ８０−Ｘポンプ（ミネソタ州ミネアポリスのＭｅｄｔｒｏｎｉｃ製）を用いて運ばれ、圧力がカニューレの入口及び出口の位置で測定された。
【００６８】
ＩＳＯ７１９９標準に従って、イン・ビトロのガス交換研究を実施した。７リットルの牛の血液または豚の血液を地方の畜殺場から集めてヘパリン化する。血液を４０μｍのフィルタ（プエルトリコ自治連邦区ファジャルドのＰａｌｌ  Ｂｉｏｍｅｄｉｃａｌ製）を通過させ、細菌増殖を防ぐために、ゲンタマイシン（０．１ｍｇ／ｍＬ）を加えた。前記実験機構は、図２０に示された単一パスループシステムである。該ループは、カスタム製造された規格に適合した６リットルの血液リザーババッグ２つから成る。該リザーバをループの流速を設定するＢｉｏｍｅｄｉｃｕｓ  ＢＰ  ８０−Ｘポンプ（ミネソタ州ミネアポリスのＭｅｄｔｒｏｎｉｃ製）に接続した。試験機器を前記ポンプの下流側に配置し、前記試験機器によって加えられる酸素を除去するために、Ｍｅｄｔｒｏｎｉｃ  Ａｆｆｉｎｉｔｙ  ＮＴ  ２．５ｍ２酸素供給器（ミネソタ州ミネアポリスのＭｅｄｔｒｏｎｉｃ製）を前記試験機器の下流側に配置する。熱交換器に組み込まれた脱酸素器を、血液温度を３７℃に維持するＰｏｌｙＳｃｉｅｎｃｅ  ２１０  ｈｅａｔｅｒ（イリノイ州ナイルズのＰｏｌｙＳｃｉｅｎｃｅ製）に接続する。Ｒ−３６０３Ｔｙｇｏｎチューブ（イリノイ州ヴァーノンヒルズのＣｏｌｅ−Ｐａｒｍｅｒ製）を回路部品に接続する。Ｎ２、ＣＯ２、Ｏ２の混合スイープガスを、前記脱酸素器を通して流して血液を調整し、酸素飽和を６５％±５に維持し、ｐＣＯ２を４５ｍｍＨｇ±５に維持した。調整後すぐに、前記ループを通して、リザーバ入口からリザーバ出口に入るように、血液を流し、これにより、処理後の機器の血液を、常に、前記調整された血液と分離した。図Ｃ０〜２に示したように、一つのサンプルをサンプリングポートのそれぞれから取り出す。Ｃｏ−ｏｘｉｍｅｔｒｙを備えたＲａｐｉｄ  Ｐｏｉｎｔ  ４０５  Ｂｌｏｏｄ  Ｇａｓ  Ａｎａｌｙｚｅｒ（ニューヨーク州タリータウンのＳｉｅｍｅｎｓ  Ｈｅａｌｔｈｃａｒｅ  Ｄｉａｇｎｏｓｉｔｉｃｓ製）を用いて、サンプルを分析する。超音波フロープローブ（ニューヨーク州イサカのＴｒａｎｓｏｎｉｃ  Ｓｙｓｔｅｍｓ製）を用いて血流を測定した。純酸素スイープガスを、前記試験機器を通して７．５Ｌ／分（ＧＲ  Ｓｅｒｉｅｓマスフローコントローラ（テキサス州ジョージタウンのＦａｔｈｏｍ  Ｔｅｃｈｎｏｌｏｇｉｅｓ製）を用いて測定される）で流す。酸素移動速度を以下の関係式を用いて計算する。
【００６９】
【数１】
2018525058.tif 000003
ここで、ＶＯ２は酸素供給速度であり、Ｑは、血液の流量であり、αＯ２は血液における酸素の溶解性［３×１０５ｍｌＯ２／（ｍｌｂｌｏｏｄｍｍＨｇ）］であり、ＰｏｕｔＯ２−ＰｉｎＯ２は、前記機器全体に亘る分圧差であり、ＣＴは、結合能力であり、ΔＳは、前記機器全体に亘る酸素飽和の増加である。
【００７０】
イン・ビボの急性研究を、４つの４０〜６０ｋｇの羊において６時間の間実施した。前記動物に、筋肉投与ケタミンを用いて麻酔をかけ、その後、イソフルラン吸入にて麻酔を維持した。スワンガンツカテーテルを肺動脈内に配置し、その後、２７Ｆｒ．ＤＬＣを用いて、前記動物にカニューレを挿入した。安定化後、流量を１〜４Ｌ／分の間で変化させて、ガス交換と流速との関係を測定した。血漿遊離型のヘモグロビンを３０〜６０分ごとに測定した。死体解剖中、前記機器及び臓器の肉眼的検査を行った。
【００７１】
上述のように、磁石を使用して、流体力学的負荷のバランスを取ってもよい。流体力学的負荷がしきい値を超えて磁力を上回るならば、ベアリングシステムは機能しなくなることとなる。国際公開第２０１４／０８５６２０号のシステムにおける磁石の向きは、デザイン制約の結果、一部が反発する向きであり、一部が引き合う向きである。このような構成では、磁石が、高圧でのポンピングをサポートするのに十分に高い磁力に達することとはならない。システム１０及び１０ａでは、全ての磁石が、引き合うように方向付けられて、高圧でのポンピングをサポートしてもよい。比較的高圧でのポンピングでは、例えば、４Ｌ／分を上回る流れについて、Ａｖａｌｏｎ  ２７  Ｆｒ二重内腔カニューレの使用が許可されてもよい。圧力の増加を提供することによって、幾多の病理生態学がサポートされる。
【００７２】
先の説明および添付の図面によって、複数の代表的な本実施形態が説明される。言うまでもないが、先の説明よりもむしろ以下の請求の範囲によって示される先の教示に照らせば、本発明の範囲を逸脱せずに、種々の修正、付加及び代替のデザインが、当業者にとって明らかとなる。前記意義及び請求の範囲の等価物の範囲に含まれる全ての変更及び変化は、請求の範囲に含まれることとなる。
【図１Ａ】
2018525058.tif 000004
【図１Ｂ】
2018525058.tif 000005
【図２Ａ】
2018525058.tif 000006
【図２Ｂ】
2018525058.tif 000007
【図２Ｃ】
2018525058.tif 000008
【図２Ｄ】
2018525058.tif 000009
【図３Ａ】
2018525058.tif 000010
【図３Ｂ】
2018525058.tif 000011
【図３Ｃ】
2018525058.tif 000012
【図４Ａ】
2018525058.tif 000013
【図４Ｂ】
2018525058.tif 000014
【図５Ａ】
2018525058.tif 000015
【図５Ｂ】
2018525058.tif 000016
【図６Ａ】
2018525058.tif 000017
【図６Ｂ】
2018525058.tif 000018
【図７Ａ】
2018525058.tif 000019
【図７Ｂ】
2018525058.tif 000020
【図７Ｃ】
2018525058.tif 000021
【図７Ｄ】
2018525058.tif 000022
【図７Ｅ】
2018525058.tif 000023
【図７Ｆ】
2018525058.tif 000024
【図８Ａ】
2018525058.tif 000025
【図８Ｂ】
2018525058.tif 000026
【図８Ｃ】
2018525058.tif 000027
【図８Ｄ】
2018525058.tif 000028
【図９Ａ】
2018525058.tif 000029
【図９Ｂ】
2018525058.tif 000030
【図９Ｃ】
2018525058.tif 000031
【図１０Ａ】
2018525058.tif 000032
【図１０Ｂ】
2018525058.tif 000033
【図１１Ａ】
2018525058.tif 000034
【図１１Ｂ】
2018525058.tif 000035
【図１２Ａ】
2018525058.tif 000036
【図１２Ｂ】
2018525058.tif 000037
【図１３】
2018525058.tif 000038
【図１４Ａ】
2018525058.tif 000039
【図１４Ｂ】
2018525058.tif 000040
【図１４Ｃ】
2018525058.tif 000041
【図１４Ｄ】
2018525058.tif 000042
【図１４Ｅ】
2018525058.tif 000043
【図１４Ｆ】
2018525058.tif 000044
【図１４Ｇ】
2018525058.tif 000045
【図１４Ｈ】
2018525058.tif 000046
【図１４Ｉ】
2018525058.tif 000047
【図１４Ｊ】
2018525058.tif 000048
【図１４Ｋ】
2018525058.tif 000049
【図１４Ｌ】
2018525058.tif 000050
【図１４Ｍ】
2018525058.tif 000051
【図１４Ｎ】
2018525058.tif 000052
【図１５】
2018525058.tif 000053
【図１６】
2018525058.tif 000054
【図１７Ａ】
2018525058.tif 000055
【図１７Ｂ】
2018525058.tif 000056
【図１８Ａ】
2018525058.tif 000057
【図１８Ｂ】
2018525058.tif 000058
【図１９】
2018525058.tif 000059
【図２０】
2018525058.tif 000060
【国際調査報告】
2018525058.tif 000061
2018525058.tif 000062
2018525058.tif 000063